(57)【要約】      （修正有）【課題】表面生地のほぼ全面を家庭用洗濯機で洗浄できる椅子を提供する。【解決手段】基板１１の両端に肘かけ１２が設けられ、基板１１の一側に背もたれ１３が設けられたソファ基台１０と、肘かけ１２を被覆する肘カバー２０と、背もたれ１３の外側面と上面を被覆する背カバー３０と、基板１１の前面１１ｃを被覆する前カバー４０を備え、基板１１の上面及び背もたれ１３の内側面に背クッション及び座クッションが設置される。これらのクッションは、弾性材料より成るインナークッションに着脱可能のカバーを被せたものより成る。【選択図】図９
0003225268.tif 000002
【実用新案登録請求の範囲】
【請求項１】
座面を形成する基板と、その両端に固着された肘かけと、前記基板の一側に固着された背もたれとから成る基台と、前記肘かけを着脱自在に被覆する肘カバーと、前記背もたれを着脱自在に被覆する背カバーを備え、前記背もたれ及び基板にクッションが置かれ、これらのクッションは弾性インナークッションを着脱可能に被覆するカバーより成る椅子。
【請求項２】
前記基板と肘かけ及び背もたれは、弾性シートと布地との積層シートによって被覆され、前記基板と肘かけ及び背もたれとの境界において、前記肘カバー及び背カバーの端縁部を挿入して挾持可能にした請求項１に記載の椅子。
【請求項３】
前記布地はループパイル地から成る請求項２に記載の椅子。
【請求項４】
前記基板の前面を着脱自在のカバーで被覆した請求項１〜３のいずれかに記載の椅子。
【考案の詳細な説明】
【技術分野】
【０００１】
この考案は、チェアやソファ等の椅子、特に表面生地を洗濯可能で模様替えも出来るようにした椅子に関する。
【背景技術】
【０００２】
通常、ソファ等の表面生地は、織布、編布、皮革、合成樹脂等の単体、またはこれらの複合体で形成されているが、ソファの基台から表面生地だけを剥離することは出来なくなっているので、洗濯機で洗濯することは不可能である。また、表面生地を張り替えするのは、専門業者に依頼しなければならず、費用と時間がかかり、その間ソファを使用することもできない。
【０００３】
そこで、特許文献１には、ソファの座面を取り外しできるようにし、この座面全体を取り外し可能のソファカバーに収納し、座面が損傷したり汚れたりした場合には座面をソファから取り外し、さらにソファカバーを取り外して取り替えるようにした考案が開示されている。しかしながら、ソファの肘かけや背もたれの表面生地が汚れたり破損した場合についての解決策は見られない。
【０００４】
特許文献２には、筒状のクッションとクッションの側辺から延びる布地から成るベッドカバー式ソファを開示してる。このソファは、ベッドを利用しているため、ソファ本来の機能を充分果たすことができない。そこで、背もたれの補助用金属具や肘かけ用の小型のベッドカバー式ソファを複数用いる提案がなされているが、いずれも本来のソファに特有の性能、例えば身体の体形と荷重をリラックスした状態に支持するような形態を有するものとは云えず、ベッドを多用途に用いるアイディアの域を出ない。また、ベッドカバー式ソファのカバーは洗濯可能であるが、これは当然のことであって、ソファの表面生地を洗濯することとは関連性がない。
【先行技術文献】
【特許文献】
【０００５】
【特許文献１】実用新案登録第３１８１７５７号公報
【特許文献２】特開平１１−２９０１５８号公報
【考案の概要】
【考案が解決しようとする課題】
【０００６】
そこで、この考案の課題は、ソファ等の椅子の表面生地のほぼ全面を家庭用洗濯機で洗浄できるようにすることである。
【課題を解決するための手段】
【０００７】
上記の課題を解決するために、この考案は、座面を形成する基板と、その両端に固着された肘かけと、前記基板の一側に固着された背もたれとから成る基台と、前記肘かけを着脱自在に被覆する肘カバーと、前記背もたれを着脱自在に被覆する背カバーを備えた椅子であって、前記背もたれ及び基板に接して背クッション及び座クッションが置かれ、これらのクッションは弾性インナークッションを着脱可能に被覆するカバーより成る構成を採用したのである。
【０００８】
前記基板と肘かけ及び背もたれを、弾性シートと表面生地との積層シートによって被覆し、前記基板と肘かけ及び背もたれとの境界において、前記肘カバー及び背カバーの端縁部を挿入して挾持可能にしておくのが好ましい。また、前記表面生地はループパイル地が好ましい。さらに、前記基板の前面にもカバーを付けることができる。
【考案の効果】
【０００９】
この考案によれば、以上のように、椅子の基台のほぼ全表面を肘カバー、背カバー、クッションで被覆する構造とし、肘カバー、背カバーを基台から着脱自在とし、クッションのカバーも着脱可能としたので、これらを家庭用洗濯機で洗浄することができる。また、異なる色彩や模様を有する複数対のカバーを用意しておけば、椅子の模様替えを行なうことができる。
【図面の簡単な説明】
【００１０】
【図１】ソファの基台を示す斜視図、
【図２】同上の一部縦断正面図、
【図３】同上の横断面図、
【図４】肘カバーを示す斜視図、
【図５】背カバーを示す斜視図、
【図６】前カバーを示す斜視図、
【図７】（Ａ）はインナークッションの斜視図、（Ｂ）はカバーの斜視図、（Ｃ）は背クッションを示す斜視図、
【図８】（Ａ）はインナークッションの斜視図、（Ｂ）はカバーの斜視図、（Ｃ）は座クッションを示す斜視図、
【図９】基台に肘カバー、背カバー及び前カバーを装着する状態を示す斜視図、
【図１０】同上の装着が完了した状態を示す斜視図、
【図１１】クッションを取り付けてソファが完成した状態を示す斜視図である。
【考案を実施するための形態】
【００１１】
以下、この考案の実施形態を椅子のうちのソファを例にとって説明する。この考案に係るソファは、図１〜図３に示される基台１０と、この基台１０に装着される図４〜図６のカバー２０、３０、４０と、図７、図８に示されるクッション５０、６０より成り、これらのカバー２０、３０、４０とクッション５０、６０によって、前記基台１０のほぼ全面が被覆される。
【００１２】
前記基台１０は、座面を支持する基板１１と、この基板１１の両端に固着された肘かけ１２、１２と、基板１１の一側縁に固着された背もたれ１３を備え、基板１１の下面にはポイント１４が固着されている。この基台１０は、木材、金属、合成樹脂、又は布帛等を材料にして、ソファ使用時の身体の姿勢や荷重等を考慮に入れ設計されるが、後述するカバー２０、３０、４０及びクッション５０、６０の装着の容易性、装着後の安定性、クッション性等を良好にするため、図２及び図３に示すような構造にするのが好ましい。図示のように、肘かけ１２は、その骨格が合板によって形成された中空箱体１２ａより成り、この箱体１２ａの外面に、薄い発泡樹脂と表面生地との積層シート１２ｂが貼り付けられている。また、背もたれ１３の内側面即ち座面側には、弾性帯を網状に織成した弾性板１３ａが張設されている。張設する範囲は、背もたれ１３の上端縁から中途部分に至る範囲である（図３参照）。同様の弾性板１１ａが基板１１の上面ほぼ全面に張設されている。これらの弾性板１３ａ、１１ａの外面も前記積層シート１２ｂと同様の積層シート１３ｂ、１１ｂによって被覆されている。従って基板１１と肘かけ１２及び背もたれ１３の境界は、通常はぴったりと密着しているが、前記積層シート１１ｂ、１２ｂ、１３ｂは伸縮弾性を有するため、後述するカバーの端縁を境界に圧入することができ、圧入個所に挾持される。なお、基板１１及び背もたれ１３の骨格も合板で形成されている。
【００１３】
ソファの基台１０は、上述の通りであって、この基台１０に図４に示す肘カバー２０、図５に示す背カバー３０及び図６に示す前カバー４０が装着される。まず、肘カバー２０は、前記基台１０の肘かけ１２の外側面１２ｃ、内側面１２ｆ、上面１２ｄ及び両端面１２ｅ、１２ｅを着脱自在に被覆できるようになっており（図１参照）、この肘かけ１２のそれぞれの外面に対応する外側面２１、内側面２２、上面２３、両端面２４を有する角筒状に形成され、内側面２２の三辺には面ファスナ２２ａ、２２ｂが設けられている。前記一方の端面２４には、その側縁に幅の狭い折り曲げ片２５が形成され、この折り曲げ片２５の外面に面ファスナ２５ａが設けられている。この面ファスナ２５ａは、内側面２２の面ファスナ２２ｂの一方と係止するようになっている。また、外側面２１の下縁及び他方の端面２４の外側縁にもそれぞれ面ファスナ２１ａと面ファスナ２４ａが設けられている。そして、肘カバー２０は一対の相似形になったものが用意される。
【００１４】
前記背カバー３０は、基台１０の背もたれ１３に装着されるように形成され、図５に示すように、外側面３１と、外側面３１から延びて基台１０の背もたれ１３の上面から内側面を被覆するひさし部３２と、このひさし部３２の外端隅角部から垂れ下って背もたれ１３の端面隅角部に当接する断面がＬ字状（所謂フランジ型）の幅の狭い帯状部３３と、背もたれ１３の端面の肘かけ１２よりも上の部分に当接する外端部３４より成り、外側面３１の外端縁には、面ファスナ３５ａを有する折り込み片３５が形成されている。そして外側面３１の下縁及び内端縁には面ファスナ３１ａ、３１ｂが設けられ、帯状部３３の内側縁にも面ファスナ３３ａが設けられている。なお、背もたれ１３には、一対の背カバー３０が装着されるようになっており、一方の背カバー３０は他方とほぼ対称に形成され、それぞれの内端縁が背もたれ１３の中央部で重なり合うサイズに形成されている。
【００１５】
前記前カバー４０は、基板１１の前面１１ｃ（図1参照）に対応するように細長く延びた長方形の帯状体であって、両側にそれぞれ面ファスナ４０ａ、４０ｂが設けられている。
【００１６】
上記肘カバー２０、２０、背カバー３０、３０及び前カバー４０は、面ファスナ２１ａ、２２ａ、２２ｂ、２４ａ、３１ａ、３１ｂ、３５ａや面ファスナ４０ａ、４０ｂによって基台１０に固着するようになっている。従って対応する面ファスナをそれぞれ基台１０に設けておいてもよいが、基台１０を被覆する積層シート１１ｂ、１２ｂ、１３ｂの表面生地をループパイル地とすることによって、基台１０に面ファスナを設ける必要はなく基台１０に直接係止することができる。
【００１７】
次に、背クッション５０及び座クッション６０について説明する。図７に示すように、背クッション５０はインナークッション５１とそのカバー５２より成る。インナークッション５１は発泡樹脂等の弾性材料の外面を織布、不織布、編成布等で被覆したものであって、平面が略長方形で、横断面が略弓状になっている。このインナークッショ５１を被覆するカバー５２は、クッション５１と略同形の袋体であって、一方の側面にフラップ５３が設けられ、スライドファスナ５４によって開閉自在になっており、前記インナークッション５１をカバー５２内に出し入れできるようになっている。また、カバー５２内には、締め付けベルト５５が設けられ、インナークッション５１にカバー５２を締め付けて両者のずれを防止するようにしてある。
【００１８】
前記座クッション６０は、図８に示すように、インナークッション６１とカバー６２より成る。インナークッション６１は発泡樹脂等の弾性材料の外面を織布、不織布、編成布等で被覆したものであって、略４角柱状に形成されている。このインナークッション６１を被覆するカバー６２は、インナークッション６１と略同形の４角柱状であって、一方の側面にフラップ６３が設けられ、スライドファスナ６４によって開閉自在になっており、前記インナークッション６１をカバー６２内に収納できるようになっている。また、カバー６２内には、締め付けベルト６５が設けられ、インナークッション６１を締め付けてカバー６２とのずれを防止するようにしてある。
【００１９】
図９に示すように、上記肘カバー２０及び背カバー３０の一対ずつが基台１０の肘かけ１２及び背もたれ１３にそれぞれ装着される。肘カバー２０は、図示のように、内側面２２を開いた状態でその外側面２１、上面２３、両端面２４、２４を肘かけ１２の外側面１２ｃ、上面１２ｄ、両端面１２ｅ、１２ｅに当てがい、面ファスナ２１ａ、２４ａによって肘かけ１２に固着し、次いで内側面２２を閉じるようにして肘かけ１２の内側面１２ｆに当てがい、面ファスナ２２ｂの一方及び面ファスナ２２ａを肘かけ１２の内側面１２ｆに係止し、面ファスナ２２ｂの他方を折り曲げ片２５の面ファスナ２５ａに係止すると、肘カバー２０が肘かけ１２に装着される。なお、折り曲げ片２５の下端部は、肘かけ１２の下端部と基板１１の前面１１ｃの境界に挿入され挾持される。
【００２０】
前記背カバー３０を装着するには、ひさし部３２が背もたれ１３の上面に接し、かつ外端部３４が背もたれ１３の端面に接するようにして、外側面３１を背もたれ１３の外側面に当てがい、面ファスナ３１ａ、３１ｂで係止する。また、折り込み片３５を背もたれ１３と肘かけ１２の境界に挿し込み面ファスナ３５ａで係止する。さらに、帯状部３３は背もたれ１３の内側面の端部に垂下され、Ｌ字形の一辺に設けた面ファスナ３３ａが背もたれ１３の内側面と肘かけ１２の内側面の境界に挿し込まれ係止される。なお、一対の背カバー３０、３０が背もたれ１３の中央部で重なり合う部分では、一方の背カバー３０の面ファスナ３１ｂは背もたれ１３に係止し、他方の背カバー３０の面ファスナ３１ｂは一方の背カバー３０の外面に係止する。
【００２１】
前記前カバー４０は、基台１０の基板１１の前面１１ｃに当てがい、面ファスナ４０ａ、４０ｂで基板１１に係止する。これによって、基台１０に肘カバー２０、２０、背カバー３０、３０、前カバー４０の装着が完了する。図１０にその状態を示す。図示のように基板１１の上面及び背もたれ１３の内側面の大部分は露出したままである。
【００２２】
図１０に示すようにカバー２０、３０、４０を装着した基台１０に、背クッション５０及び座クッション６０を取り付けたソファ１０ａを図１１に示す。図示のように、背クッション５０は背もたれ１３に沿って立てかけられ、座クッション６０は基板１１に置かれる。勿論これらのクッション５０、６０の適宜個所に面ファスナを設けて基台１０に係止できるようにすることができる。これによって、図１０に示す背もたれ１３及び基板１１の空白部分が背クッション５０、５０及び座クッション６０、６０で被われるので、基台１０の全面が被覆される。
【００２３】
上述から容易に理解されるように、背クッション５０及び座クッション６０はソファから簡単に取り外すことができ、肘カバー２０、背カバー３０、前カバー４０も面ファスナの係止さえ解くと、それぞれほぼ一挙動で基台１０から取り外すことができ、またクッション５０、６０のカバー５２、６２も剥すことができるので、ソファの表面全体を家庭用の洗濯機で洗濯することができる。さらに、カバー２０、３０、４０及びカバー５２、６２にそれぞれ数種の異なった色彩、模様を有するものを用意すれば、ソファの模様替えも簡単に行なうことができる。
【００２４】
上述の実施形態では、複数人掛けのソファを示したが一人掛けの椅子にもこの考案を適用することができる。そのほか、実施形態で示した形状、構造の椅子ばかりでなく、他の形状、構造の椅子にも、この考案を適用することができる。例えば、肘かけを単に枠状材で形成してもよい。
【符号の説明】
【００２５】
１０  基台
１０ａ  ソファ
１１  基板
１１ａ  弾性板
１１ｂ  積層シート
１１ｃ  基板の前面
１２  肘かけ
１２ａ  中空箱体
１２ｂ  積層シート
１２ｃ  外側面
１２ｄ  上面
１２ｅ  端面
１２ｆ  内側面
１３  背もたれ
１３ａ  弾性板
１３ｂ  積層シート
１４  ポイント
２０  肘カバー
２１  外側面
２１ａ  面ファスナ
２２  内側面
２２ａ、２２ｂ  面ファスナ
２３  上面
２４  端面
２４ａ  面ファスナ
２５  折り曲げ片
２５ａ  面ファスナ
３０  背カバー
３１  外側面
３１ａ、３１ｂ  面ファスナ
３２  ひさし部
３３  帯状部
３３ａ  面ファスナ
３４  外端部
３５  折り込み片
３５ａ  面ファスナ
４０  前カバー
４０ａ、４０ｂ  面ファスナ
５０  座クッション
５１  インナークッション
５２  カバー
５３  フラップ
５４  スライドファスナ
５５  締め付けベルト
６０  背クッション
６１  インナークッション
６２  カバー
６３  フラップ
６４  スライドファスナ
６５  締め付けベルト
【図１】
0003225268.tif 000003
【図２】
0003225268.tif 000004
【図３】
0003225268.tif 000005
【図４】
0003225268.tif 000006
【図５】
0003225268.tif 000007
【図６】
0003225268.tif 000008
【図７】
0003225268.tif 000009
【図８】
0003225268.tif 000010
【図９】
0003225268.tif 000011
【図１０】
0003225268.tif 000012
【図１１】
0003225268.tif 000013